(57)【要約】【課題】ＡＤＨＤの被験者特有の特性に対してより直接的に適合した評価を行う。【解決手段】評価装置は、被験者の視線を検出する視線検出部と、被験者の視線の移動速度を算出する移動速度算出部と、算出された視線の移動速度に基づいて視線の移動速度の度数を算出し、視線の移動速度の度数分布を求める度数分布算出部と、度数分布のうち、所定速度未満である第１速度範囲に含まれる度数から求められる第１度数と、所定速度以上である第２速度範囲に含まれる度数から求められる第２度数とを比較する演算部と、演算部による比較結果に基づいて、被験者の評価データを求める評価部とを備える。【選択図】図２
2020151360.tif 000002
【特許請求の範囲】
【請求項１】
被験者の視線を検出する視線検出部と、
被験者の視線の移動速度を算出する移動速度算出部と、
算出された前記視線の移動速度に基づいて前記視線の移動速度の度数を算出し、前記視線の移動速度の度数分布を求める度数分布算出部と、
前記度数分布のうち、所定速度未満である第１速度範囲に含まれる度数から求められる第１度数と、前記所定速度以上である第２速度範囲に含まれる度数から求められる第２度数とを比較する演算部と、
前記演算部による比較結果に基づいて、前記被験者の評価データを求める評価部と
を備える評価装置。
【請求項２】
前記演算部での比較は、前記第１度数と前記第２度数との比を求める
請求項１に記載の評価装置。
【請求項３】
前記第１速度範囲は、前記移動速度が最も遅い前記視線の前記移動速度を含む範囲である
請求項１又は請求項２に記載の評価装置。
【請求項４】
前記視線検出部での視線の検出は、所定の周期での視線ベクトルとして検出し、
前記移動速度は、前記所定の周期毎に検出される前記視線ベクトルの変位に基づいて算出される
請求項１から請求項３のいずれか一項に記載の評価装置。
【請求項５】
被験者の注視点の位置を所定の周期で検出する注視点検出部を備え、
前記移動速度は、前記所定の周期毎に検出される注視点の間の距離に基づいて算出される
請求項１から請求項３のいずれか一項に記載の評価装置。
【請求項６】
表示部と、
前記被験者の視線と前記表示部との交点である注視点の位置を検出する注視点検出部と、
前記表示部に評価用画像を表示する表示制御部と
を更に備え、
前記速度算出部は、前記注視点の移動速度を前記視線の移動速度として求める
請求項１から請求項４のいずれか一項に記載の評価装置。
【請求項７】
被験者の視線を検出することと、
被験者の視線の移動速度を算出することと、
算出された前記視線の移動速度に基づいて前記視線の移動速度の度数を算出し、前記視線の移動速度の度数分布を求めることと、
前記度数分布のうち、所定速度未満である第１速度範囲に含まれる度数から求められる第１度数と、前記所定速度以上である第２速度範囲に含まれる度数から求められる第２度数とを比較することと、
比較結果に基づいて、前記被験者の評価データを求めることと
を含む評価方法。
【請求項８】
被験者の視線を検出する処理と、
被験者の視線の移動速度を算出する処理と、
算出された前記視線の移動速度に基づいて前記視線の移動速度の度数を算出し、前記視線の移動速度の度数分布を求める処理と、
前記度数分布のうち、所定速度未満である第１速度範囲に含まれる度数から求められる第１度数と、前記所定速度以上である第２速度範囲に含まれる度数から求められる第２度数とを比較する処理と、
比較結果に基づいて、前記被験者の評価データを求める処理と
をコンピュータに実行させる評価プログラム。
【発明の詳細な説明】
【技術分野】
【０００１】
本発明は、評価装置、評価方法、及び評価プログラムに関する。
【背景技術】
【０００２】
最近、発達障がい者が増加傾向にあると言われている。発達障がいは、早期に発見し療育を開始することで症状を軽減し、社会に適応できる効果が高くなることがわかっており、客観的かつ効率的に発達障がいの可能性を評価可能な評価装置が求められている。
【０００３】
特許文献１には、発達障がいのうち、注意欠如・多動症（ＡＤＨＤ（Attention  deficit  hyperactivity  disorder））の可能性を評価する手法が記載されている。この手法では、表示部の中央に第１画像を表示し、第１画像の周囲に第２画像を表示し、被験者には第１画像を見るように指示した上で、表示部における被験者の注視点を検出し、各画像に対応する領域に滞留する滞留時間に基づいてＡＤＨＤの可能性を評価する。
【先行技術文献】
【特許文献】
【０００４】
【特許文献１】特開２０１６−１７１８４９号公報
【発明の概要】
【発明が解決しようとする課題】
【０００５】
ＡＤＨＤの被験者は、例えば多動性又は衝動性により注視点の移動が多くなる傾向にある。特許文献１記載の手法では、見るように指示した画像と他の画像との注視点の滞留時間を比較することにより、注視点の移動を間接的に評価することが可能であった。そこで、ＡＤＨＤの特性に直接的に適合した評価を行うことが求められている。
【０００６】
本発明は、上記に鑑みてなされたものであり、ＡＤＨＤの被験者特有の特性に対してより直接的に適合した評価を行うことができる評価装置、評価方法、及び評価プログラムを提供することを目的とする。
【課題を解決するための手段】
【０００７】
本発明に係る評価装置は、被験者の視線を検出する視線検出部と、被験者の視線の移動速度を算出する移動速度算出部と、算出された前記視線の移動速度に基づいて前記視線の移動速度の度数を算出し、前記視線の移動速度の度数分布を求める度数分布算出部と、前記度数分布のうち、所定速度未満である第１速度範囲に含まれる度数から求められる第１度数と、前記所定速度以上である第２速度範囲に含まれる度数から求められる第２度数とを比較する演算部と、前記演算部による比較結果に基づいて、前記被験者の評価データを求める評価部とを備える。
【０００８】
本発明に係る評価方法は、被験者の視線を検出することと、被験者の視線の移動速度を算出することと、算出された前記視線の移動速度に基づいて前記視線の移動速度の度数を算出し、前記視線の移動速度の度数分布を求めることと、前記度数分布のうち、所定速度未満である第１速度範囲に含まれる度数から求められる第１度数と、前記所定速度以上である第２速度範囲に含まれる度数から求められる第２度数とを比較することと、比較結果に基づいて、前記被験者の評価データを求めることとを含む。
【０００９】
本発明に係る評価プログラムは、被験者の視線を検出する処理と、被験者の視線の移動速度を算出する処理と、算出された前記視線の移動速度に基づいて前記視線の移動速度の度数を算出し、前記視線の移動速度の度数分布を求める処理と、前記度数分布のうち、所定速度未満である第１速度範囲に含まれる度数から求められる第１度数と、前記所定速度以上である第２速度範囲に含まれる度数から求められる第２度数とを比較する処理と、比較結果に基づいて、前記被験者の評価データを求める処理とをコンピュータに実行させる。
【発明の効果】
【００１０】
本発明によれば、ＡＤＨＤの被験者特有の特性に対してより直接的に適合した評価を行うことができる。
【図面の簡単な説明】
【００１１】
【図１】図１は、本実施形態に係る評価装置の一例を模式的に示す図である。
【図２】図２は、評価装置の一例を示す機能ブロック図である。
【図３】図３は、表示部に表示する評価用画像の一例を示す図である。
【図４】図４は、ＡＤＨＤではない被験者について注視点の軌跡の一例を示す図である。
【図５】図５は、ＡＤＨＤである被験者について注視点の軌跡の一例を示す図である。
【図６】図６は、サンプリングされた注視点の軌跡を示す図である。
【図７】図７は、注視点の移動速度を求める処理の一例を模式的に示す図である。
【図８】図８は、算出された度数分布の一例を示す図である。
【図９】図９は、算出された度数分布の一例を示す図である。
【図１０】図１０は、本実施形態に係る評価方法の一例を示すフローチャートである。
【図１１】図１１は、他の例に係る評価装置の構成を模式的に示す図である。
【発明を実施するための形態】
【００１２】
以下、本発明に係る評価装置、評価方法、及び評価プログラムの実施形態を図面に基づいて説明する。なお、この実施形態によりこの発明が限定されるものではない。また、下記実施形態における構成要素には、当業者が置換可能かつ容易なもの、あるいは実質的に同一のものが含まれる。
【００１３】
以下の説明においては、三次元グローバル座標系を設定して各部の位置関係について説明する。所定面の第１軸と平行な方向をＸ軸方向とし、第１軸と直交する所定面の第２軸と平行な方向をＹ軸方向とし、第１軸及び第２軸のそれぞれと直交する第３軸と平行な方向をＺ軸方向とする。所定面はＸＹ平面を含む。
【００１４】
［評価装置］  
図１は、本実施形態に係る評価装置１００の一例を模式的に示す図である。本実施形態に係る評価装置１００は、被験者の視線を検出し、検出結果を用いることで注意欠如・多動症（以下、ＡＤＨＤ（Attention  deficit  hyperactivity  disorder）と表記する）についての評価を行う。評価装置１００は、例えば被験者の瞳孔の位置と角膜反射像の位置とに基づいて視線を検出する方法、又は被験者の目頭の位置と虹彩の位置とに基づいて視線を検出する方法等、各種の方法により被験者の視線を検出することができる。
【００１５】
図１に示すように、評価装置１００は、表示装置１０と、画像取得装置２０と、コンピュータシステム３０と、出力装置４０と、入力装置５０と、入出力インターフェース装置６０とを備える。表示装置１０、画像取得装置２０、コンピュータシステム３０、出力装置４０及び入力装置５０は、入出力インターフェース装置６０を介してデータ通信を行う。表示装置１０及び画像取得装置２０は、それぞれ不図示の駆動回路を有する。
【００１６】
表示装置１０は、液晶ディスプレイ（liquid  crystal  display：ＬＣＤ）又は有機ＥＬディスプレイ（organic  electroluminescence  display：ＯＬＥＤ）のようなフラットパネルディスプレイを含む。本実施形態において、表示装置１０は、表示部１１を有する。表示部１１は、画像等の情報を表示する。表示部１１は、ＸＹ平面と実質的に平行である。Ｘ軸方向は表示部１１の左右方向であり、Ｙ軸方向は表示部１１の上下方向であり、Ｚ軸方向は表示部１１と直交する奥行方向である。表示装置１０は、ヘッドマウント型ディスプレイ装置であってもよい。表示装置１０がヘッドマウント型ディスプレイ装置である場合、ヘッドマウントモジュール内に画像取得装置２０のような構成が配置されることになる。
【００１７】
画像取得装置２０は、被験者の左右の眼球ＥＢの画像データを取得し、取得した画像データをコンピュータシステム３０に送信する。画像取得装置２０は、撮影装置２１を有する。撮影装置２１は、被験者の左右の眼球ＥＢを撮影することで画像データを取得する。撮影装置２１は、被験者の視線を検出する方法に応じた各種カメラを有する。例えば被験者の瞳孔の位置と角膜反射像の位置とに基づいて視線を検出する方式の場合、撮影装置２１は、赤外線カメラを有し、例えば波長８５０［ｎｍ］の近赤外光を透過可能な光学系と、その近赤外光を受光可能な撮像素子とを有する。また、例えば被験者の目頭の位置と虹彩の位置とに基づいて視線を検出する方式の場合、撮影装置２１は、可視光カメラを有する。撮影装置２１は、フレーム同期信号を出力する。フレーム同期信号の周期は、例えば２０［ｍｓｅｃ］とすることができるが、これに限定されない。撮影装置２１は、例えば第１カメラ２１Ａ及び第２カメラ２１Ｂを有するステレオカメラの構成とすることができるが、これに限定されない。
【００１８】
また、例えば被験者の瞳孔の位置と角膜反射像の位置とに基づいて視線を検出する方式の場合、画像取得装置２０は、被験者の眼球ＥＢを照明する照明装置２２を有する。照明装置２２は、ＬＥＤ（light  emitting  diode）光源を含み、例えば波長８５０［ｎｍ］の近赤外光を射出可能である。なお、例えば被験者の目頭の位置と虹彩の位置とに基づいて視線を検出する方式の場合、照明装置２２は設けられなくてもよい。照明装置２２は、撮影装置２１のフレーム同期信号に同期するように検出光を射出する。照明装置２２は、例えば第１光源２２Ａ及び第２光源２２Ｂを有する構成とすることができるが、これに限定されない。
【００１９】
コンピュータシステム３０は、評価装置１００の動作を統括的に制御する。コンピュータシステム３０は、演算処理装置３０Ａ及び記憶装置３０Ｂを含む。演算処理装置３０Ａは、ＣＰＵ（central  processing  unit）のようなマイクロプロセッサを含む。記憶装置３０Ｂは、ＲＯＭ（read  only  memory）及びＲＡＭ（random  access  memory）のようなメモリ又はストレージを含む。演算処理装置３０Ａは、記憶装置３０Ｂに記憶されているコンピュータプログラム３０Ｃに従って演算処理を実施する。
【００２０】
出力装置４０は、フラットパネルディスプレイのような表示装置を含む。なお、出力装置４０は、印刷装置を含んでもよい。入力装置５０は、操作されることにより入力データを生成する。入力装置５０は、コンピュータシステム用のキーボード又はマウスを含む。なお、入力装置５０が表示装置である出力装置４０の表示部に設けられたタッチセンサを含んでもよい。
【００２１】
本実施形態に係る評価装置１００は、表示装置１０とコンピュータシステム３０とが別々の装置である。なお、表示装置１０とコンピュータシステム３０とが一体でもよい。例えば評価装置１００がタブレット型パーソナルコンピュータを含んでもよい。この場合、当該タブレット型パーソナルコンピュータに、表示装置、画像取得装置、コンピュータシステム、入力装置、出力装置等が搭載されてもよい。
【００２２】
図２は、評価装置１００の一例を示す機能ブロック図である。図２に示すように、コンピュータシステム３０は、表示制御部３１と、注視点検出部３２と、移動速度算出部３３と、度数分布算出部３４と、演算部３５と、評価部３６と、入出力制御部３７と、記憶部３８とを有する。コンピュータシステム３０の機能は、演算処理装置３０Ａ及び記憶装置３０Ｂ（図１参照）によって発揮される。なお、コンピュータシステム３０は、一部の機能が評価装置１００の外部に設けられてもよい。
【００２３】
表示制御部３１は、評価用画像を表示部１１に表示する。本実施形態において、評価用画像に含まれる対象物は、人物、動物等の生物であってもよいし、生物以外の対象物であってもよい。
【００２４】
注視点検出部３２は、被験者の注視点の位置データを検出する。本実施形態において、注視点検出部３２は、画像取得装置２０によって取得される被験者の左右の眼球ＥＢの画像データに基づいて、三次元グローバル座標系で規定される被験者の視線を視線ベクトルとして検出する。したがって、本実施形態において、注視点検出部３２は、被験者の視線を検出する視線検出部の構成を含んでいる。注視点検出部３２は、検出した被験者の視線ベクトルと表示装置１０の表示部１１との交点の位置データを、被験者の注視点の位置データとして検出する。つまり、本実施形態において、注視点の位置データは、三次元グローバル座標系で規定される被験者の視線ベクトルと、表示装置１０の表示部１１との交点の位置データである。注視点検出部３２は、規定のサンプリング周期毎に被験者の注視点の位置データを検出する。このサンプリング周期は、例えば撮影装置２１から出力されるフレーム同期信号の周期（例えば２０［ｍｓｅｃ］毎）とすることができる。注視点検出部３２は、検出した注視点の位置データを記憶部３８に記憶させる。
【００２５】
移動速度算出部３３は、視線の移動速度を算出する。本実施形態において、移動速度算出部３３は、注視点検出部３２において検出された注視点の移動速度を視線の移動速度として算出する。移動速度算出部３３は、注視点検出部３２によってサンプリングされる注視点毎に移動速度を算出する。移動速度算出部３３は、まず、算出対象となる注視点と、当該注視点の直前にサンプリングされた注視点との間の距離を算出する。この場合、移動速度算出部３３は、算出対象となる注視点の位置データと直前にサンプリングされた注視点の位置データとに基づいて、距離を算出する。移動速度算出部３３は、距離を算出した後、算出した距離を上記のサンプリング周期で除算することにより、注視点の移動速度を算出する。移動速度算出部３３は、算出結果を、移動速度データとして注視点と対応付けて記憶部３８に記憶させる。
【００２６】
度数分布算出部３４は、所定時間に上記のサンプリング周期で移動速度算出部３３において算出された注視点の移動速度結果に基づいて視線の移動速度の度数（注視点の移動速度の度数）を算出し、視線の移動速度の度数分布を求める。本実施形態では、視線の移動速度の度数として、注視点の移動速度の度数を用いる。度数分布算出部３４は、算出した度数分布を、度数分布データとして記憶部３８に記憶させる。
【００２７】
演算部３５は、求められた度数分布のうち、所定速度未満である第１速度範囲に含まれる視線の移動速度の度数から求められる第１度数と、所定速度以上である第２速度範囲に含まれる視線の移動速度の度数から求められる第２度数とを比較する。本実施形態において、演算部３５は、第２度数を、例えば、所定速度以上であり第１速度範囲と等しい速度範囲の幅の第２速度範囲の第２度数として比較する。また、第１速度範囲と等しい速度範囲の幅としては、例えばリニア軸において等しい場合、つまり差分が等しい場合、また、例えば対数軸において等しい場合、つまり割合が等しい場合、等が挙げられる。本実施形態では、第２速度範囲の第２度数を所定速度以上であり第１速度範囲と等しい速度範囲の幅としたが、これに限定されず、第１度数と第２度数とを同じ条件で比較できればよい。演算部３５は、例えば第１度数と第２度数との比を求める。第１度数と第２度数との比を求める場合として、例えば第１度数と第２度数とを同じ条件として比を求める場合が挙げられる。具体的には、第１度数に含まれる度数の合計値と第２度数に含まれる度数の合計値とから比を求める場合、第１度数及び第２度数の双方の度数の最大値同士から比を求める場合、第１度数及び第２度数の双方の度数の最小値同士から比を求める場合、第１度数に含まれる度数の平均値と第２度数に含まれる度数の平均値とから比を求める場合、等が挙げられる。ここで、第１速度範囲は、移動速度が最も遅い視線の移動速度を含む範囲である。本実施形態において、第１速度範囲は、移動速度が最も遅い注視点の移動速度を含む範囲である。演算部３５は、例えば第１度数と第２度数との比較結果を比較データとして記憶部３８に記憶する。また、演算部３５は、表示部１１に評価用画像が表示されてからの経過時間を検出するタイマと、評価用画像の再生時間を管理する管理タイマとを有する。
【００２８】
評価部３６は、演算部３５における比較結果に基づいて、被験者の評価データを求める。評価部３６は、演算部３５において第１度数と第２度数との比が求められる場合、当該比に基づいて被験者の評価データを求める。
【００２９】
入出力制御部３７は、画像取得装置２０及び入力装置５０の少なくとも一方からのデータ（眼球ＥＢの画像データ、入力データ等）を取得する。また、入出力制御部３７は、表示装置１０及び出力装置４０の少なくとも一方にデータを出力する。入出力制御部３７は、被験者に対する課題をスピーカ等の出力装置４０から出力してもよい。
【００３０】
記憶部３８は、上記の位置データ、移動速度データ、度数分布データ、比較データ及び評価データを記憶する。また、記憶部３８は、被験者の視線を検出する処理と、被験者の視線の移動速度を算出する処理と、算出された視線の移動速度に基づいて視線の移動速度の度数を算出し、視線の移動速度の度数分布を求める処理と、度数分布のうち、所定速度未満である第１速度範囲に含まれる度数から求められる第１度数と、所定速度以上である第２速度範囲に含まれる度数から求められる第２度数とを比較する処理と、比較結果に基づいて、被験者の評価データを求める処理とをコンピュータに実行させる評価プログラムを記憶する。
【００３１】
［評価方法］  
次に、本実施形態に係る評価方法について説明する。本実施形態に係る評価方法では、上記の評価装置１００を用いることにより、被験者のＡＤＨＤの可能性について評価する。
【００３２】
図３は、表示部１１に表示する評価用画像Ｅの一例を示す図である。図３に示すように、表示制御部３１は、評価用画像Ｅを表示部１１に表示する。評価用画像Ｅに含まれる対象物は、人物、動物等の生物であってもよいし、生物以外の対象物であってもよい。本実施形態では、教師と生徒とがいる教室が例として示されているが、これに限定されない。また、本実施形態において、評価用画像Ｅは、１つの画像を用いる場合を例に挙げて説明するが、これに限定されない。評価用画像Ｅは、例えば分割された複数の画像であってもよい。
【００３３】
図４は、ＡＤＨＤではない被験者について注視点Ｐの軌跡Ｑの一例を示す図である。図４に示すように、ＡＤＨＤではない被験者は、注視点Ｐを移動させる頻度が少なく、注視点Ｐの移動があったとしても、例えば図４に示すように、人物の顔や手などを注視するため視線の停留時間が長くなる傾向にある。
【００３４】
図５は、ＡＤＨＤである被験者について注視点Ｐの軌跡Ｒの一例を示す図である。図５に示すように、ＡＤＨＤである被験者は、衝動的に注視点Ｐを移動させる傾向にあり、注視点Ｐの移動の頻度も高い傾向にある。ＡＤＨＤである被験者は、評価用画像Ｅが表示される期間において注視点の移動が多くなり、注視点を停止させることが少ない傾向にある。
【００３５】
そこで、本実施形態では、被験者の注視点の移動速度を検出し、移動速度の度数分布を求め、例えば停止している注視点等、移動速度が他と比べて小さくなる注視点の移動速度の度数の割合を算出し、算出結果に基づいて被験者を評価するものである。
【００３６】
注視点検出部３２は、評価用画像Ｅが表示される期間において、規定のサンプリング周期（例えば２０［ｍｓｅｃ］）毎に、被験者の注視点Ｐの位置を検出する。図６は、サンプリングされた注視点Ｐの軌跡Ｑを示す図である。図６は、上記の図４に示す例と対応している。移動速度算出部３３は、注視点検出部３２において検出された注視点の移動速度を視線の移動速度として算出する。移動速度算出部３３は、注視点検出部３２によってサンプリングされる注視点毎に移動速度を算出する。
【００３７】
図７は、注視点の移動速度を求める処理の一例を模式的に示す図である。図７では、４つの注視点（ｎ−１個目、ｎ個目、ｎ＋１個目、ｎ＋２個目）を例として説明する。図７に示すように、移動速度算出部３３は、算出対象となる注視点と、当該注視点の直前にサンプリングされた注視点との間の距離を算出する。例えば、ｎ＋１個目の注視点が算出対象となる場合、直前にサンプリングされた注視点であるｎ個目の注視点との間の距離を算出する。この場合、移動速度算出部３３は、ｎ＋１個目の注視点の位置データと、ｎ個目の注視点の位置データとに基づいて、距離を算出する。図７の例では、表示部１１上の平面における距離であるため、距離Ｌｎは、
Ｌｎ＝｛（Ｘ座標の差分）２＋（Ｙ座標の差分）２｝１／２
として表される。ｎ−１個目の注視点とｎ個目の注視点との距離、及びｎ＋１個目の注視点とｎ＋２個目の注視点との距離についても同様である。なお、移動速度算出部３３は、１個目にサンプリングされた注視点については、比較対象が存在しないため、移動速度を算出しない。
【００３８】
移動速度算出部３３は、距離を算出した後、算出した距離を上記のサンプリング周期で除算することにより、注視点の移動速度を算出する。つまり、移動速度Ｖｎは、
Ｖｎ＝Ｌｎ／（サンプリング周期）
として表される。移動速度算出部３３は、算出結果を、移動速度データとして注視点と対応付けて記憶部３８に記憶させる。
【００３９】
度数分布算出部３４は、移動速度算出部３３の算出結果に基づいて注視点の移動速度の度数を算出し、移動速度の度数分布を求める。図８及び図９は、算出された度数分布の一例を示す図である。なお、図８は、図４に示すＡＤＨＤではない被験者についての度数の一例を示す。また、図９は、図５に示すＡＤＨＤである被験者の度数の一例を示す。図８及び図９において、横軸が移動速度を示し、縦軸が度数を示す。
【００４０】
ＡＤＨＤではない被験者は、注視点Ｐを移動させる頻度が少なく、人物の顔や手などを注視するため注視点の停留時間が長くなる傾向にある。このため、図８に示すように、移動速度が速い注視点Ｐの移動速度の度数に比べて、移動速度が遅い注視点Ｐの移動速度の度数が高くなっている。
【００４１】
一方、ＡＤＨＤである被験者は、多くの物を注視するため注視点Ｐを移動させる傾向にある。このため、ＡＤＨＤである被験者は、評価用画像Ｅが表示される期間において注視点を移動させる頻度が高くなり、注視点を停止させることが少ない傾向にある。このため、図９に示すように、移動速度が遅い注視点Ｐの移動速度の度数が、ＡＤＨＤではない被験者に比べて低くなっている。
【００４２】
そこで、演算部３５は、求められた度数分布のうち、所定速度（例えば、図８及び図９の速度Ｖａ）未満である第１速度範囲Ｒ１に含まれる視線の移動速度の度数から求められる第１度数と、所定速度Ｖａ以上である第２速度範囲Ｒ２に含まれる視線の移動速度の度数から求められる第２度数とを比較する。本実施形態において、演算部３５は、第２度数を、所定速度Ｖａ以上であり第１速度範囲Ｒ１と等しい速度範囲の幅の第２速度範囲Ｒ２の第２度数として比較する。第１速度範囲Ｒ１は、移動速度が最小となる注視点の速度（Ｖｍｉｎ）を含む範囲である。本実施形態において、第１速度範囲Ｒ１は、０以上、所定速度Ｖａ未満である。第２速度範囲Ｒ２は、所定速度Ｖａ以上、所定速度Ｖｂ未満である。ただし、Ｖｂ＝２・Ｖａである。つまり、第１速度範囲Ｒ１と第２速度範囲Ｒ２とは、互いに等しい速度範囲の幅Ｖａの範囲となっている。なお、第１速度範囲Ｒ１と等しい速度範囲の幅としては、上記のようにリニア軸において等しい場合、つまり差分が等しい場合であってもよいし、例えば対数軸において等しい場合、つまり割合が等しい場合であってもよい。第１度数は、第１速度範囲Ｒ１に含まれる注視点Ｐの移動速度の度数の総和である。第２度数は、第２速度範囲Ｒ２に含まれる注視点Ｐの移動速度の度数の総和である。
【００４３】
演算部３５は、第１度数と第２度数とを比較する際、例えば第１度数と第２度数との比を求める。第１度数と第２度数との比を求める場合として、例えば第１度数及び第２度数の双方の度数の合計値同士で比を求める場合、第１度数及び第２度数の双方の度数の最大値同士で比を求める場合、第１度数及び第２度数の双方の度数の最小値同士で比を求める場合、第１度数及び第２度数の双方の度数の平均値同士で比を求める場合、等が挙げられる。図８に示す例では、第１度数の方が第２度数に比べて高い値となるため、比は１よりも大きい値となる。図９に示す例では、第１度数と第２度数とはほぼ等しい値となるため、比は１に近い値となる。
【００４４】
評価部３６は、演算部３５における比較結果に基づいて、被験者の評価データを求める。評価部３６は、演算部３５において求められた比に基づいて、被験者の評価データを求める。この場合、評価値ＡＮＳは、
ＡＮＳ＝（第１度数）／（第２度数）
とすることができる。
【００４５】
評価部３６は、評価値ＡＮＳの値が所定の閾値Ｋ以上か否かを判断することで評価データを求めることができる。例えば評価値ＡＮＳが閾値Ｋ以上である場合、移動速度が速い注視点Ｐの移動速度の度数に比べて、移動速度が遅い注視点Ｐの移動速度の度数が高く、注視点Ｐを移動させる頻度が少ないとして、被験者がＡＤＨＤである可能性が低いと評価することができる。また、評価値ＡＮＳが閾値Ｋ未満である場合、移動速度が遅い注視点Ｐの移動速度の度数が、ＡＤＨＤではない被験者に比べて低く、注視点Ｐを移動させる頻度が高いとして、被験者がＡＤＨＤである可能性が高いと評価することができる。
【００４６】
また、評価部３６は、評価値ＡＮＳの値を記憶部３８に記憶させておくことができる。例えば、同一の被験者についての評価値ＡＮＳを累積的に記憶し、過去の評価値と比較した場合の評価を行ってもよい。例えば、評価値ＡＮＳが過去の評価値よりも高い値となった場合、ＡＤＨＤの症状が前回の評価に比べて改善されている旨の評価を行うことができる。また、評価値ＡＮＳの累積値が徐々に高くなっている場合等には、ＡＤＨＤの症状が徐々に改善されている旨の評価を行うことができる。
【００４７】
本実施形態において、評価部３６が評価データを出力した場合、入出力制御部３７は、評価データに応じて、例えば「被験者はＡＤＨＤである可能性が低いと思われます」の文字データや、「被験者はＡＤＨＤである可能性が高いと思われます」の文字データ等を出力装置４０に出力させることができる。また、入出力制御部３７は、同一の被験者についての評価値ＡＮＳが過去の評価値ＡＮＳに比べて高くなっている場合、「ＡＤＨＤの症状が改善されています」等の文字データ等を出力装置４０に出力することができる。
【００４８】
次に、本実施形態に係る評価方法の一例について、図１０を参照しながら説明する。図１０は、本実施形態に係る評価方法の一例を示すフローチャートである。本実施形態に係る評価方法において、図１０に示すように、まず表示制御部３１は、表示部１１に評価用画像Ｅを表示する（ステップＳ１０１）。次に、注視点検出部３２は、注視点検出を開始する（ステップＳ１０２）。注視点検出部３２は、所定のサンプリング周期（例えば２０［ｍｓｅｃ］毎）で注視点をサンプリングする（ステップＳ１０３）。その後、演算部３５は、所定時間が経過したか否かの判定を行う（ステップＳ１０４）。ステップＳ１０４の所定時間は、評価に必要な時間である。所定時間は、評価に必要な時間が確保できる範囲において、任意に設定可能である。所定時間が経過してないと判定された場合（ステップＳ１０４のＮｏ）、ステップＳ１０３以降の処理を繰り返し行う。所定時間が経過したと判定された場合（ステップＳ１０４のＹｅｓ）、注視点検出部３２は、注視点検出を停止する（ステップＳ１０５）。
【００４９】
次に、移動速度算出部３３は、サンプリングされた注視点に基づいて、注視点の移動速度を算出する。移動速度算出部３３は、１個目にサンプリングされた注視点については、比較対象が存在しないため、移動速度を算出しない（ステップＳ１０６）。移動速度算出部３３は、２個目以降のｎ＋１個目の注視点と、その直前にサンプリングされたｎ個目の注視点との距離Ｌｎを求め（ステップＳ１０７）、距離Ｌｎに基づいて移動速度Ｖｎを求める（ステップＳ１０８）。移動速度算出部３３は、注視点の個数が所定の個数Ｎに到達したか否かを判定する（ステップＳ１０９）。ステップＳ１０９において、注視点の所定の個数Ｎについては、上記の所定時間においてサンプリングされた注視点の個数である。注視点の個数が所定の個数Ｎに到達していないと判定された場合（ステップＳ１０９のＮｏ）、ステップＳ１０７以降の処理を繰り返し行う。注視点の個数が所定の個数Ｎに到達したと判定された場合（ステップＳ１０９のＹｅｓ）、度数分布算出部３４は、移動速度Ｖｎに基づいて移動速度Ｖｎの度数分布を算出する（ステップＳ１１０）。度数分布が算出された場合、演算部３５は、度数分布のうち所定速度未満である第１度数と所定速度以上である第２度数とを求めて比較する（ステップＳ１１１）。ステップＳ１１１において、演算部３５は、例えば第１度数と第２度数との比を求める。その後、評価部３６は、第１度数と第２度数との比較結果に基づいて、評価値ＡＮＳを求める（ステップＳ１１２）。
【００５０】
評価部３６は、評価値ＡＮＳが閾値（Ｋ）以上であるか否かを判定する（ステップＳ１１３）。評価値ＡＮＳが閾値以上ではない（閾値未満）場合（ステップＳ１１３のＮｏ）、評価部３６は、注視点Ｐを移動させる頻度が多い傾向にあるとして、被験者がＡＤＨＤである可能性が高いと評価した後（ステップＳ１１４）、処理を終了する。評価値ＡＮＳが閾値以上である場合（ステップＳ１１３のＹｅｓ）、評価部３６は、注視点Ｐを移動させる頻度が少ないとして、被験者がＡＤＨＤである可能性が低いと評価した後（ステップＳ１１５）、処理を終了する。
【００５１】
以上のように、本実施形態に係る評価装置１００は、被験者の注視点Ｐを検出する注視点検出部３２と、被験者の注視点Ｐの移動速度を算出する移動速度算出部３３と、算出された視線の移動速度に基づいて注視点Ｐの移動速度の度数を算出し、視線の移動速度の度数分布を求める度数分布算出部３４と、度数分布のうち、所定速度未満である第１速度範囲Ｒ１に含まれる度数から求められる第１度数と、所定速度以上である第２速度範囲Ｒ２に含まれる度数から求められる第２度数とを比較する演算部３５と、演算部３５による比較結果に基づいて、被験者の評価データを求める評価部３６とを備える。
【００５２】
本実施形態に係る評価方法は、被験者の注視点Ｐを検出することと、被験者の注視点Ｐの移動速度を算出することと、算出された視線の移動速度に基づいて注視点Ｐの度数を算出し、視線の移動速度の度数分布を求めることと、度数分布のうち、所定速度未満である第１速度範囲Ｒ１に含まれる度数から求められた第１度数と、所定速度以上である第２速度範囲Ｒ２に含まれる度数から求められた第２度数とを比較することと、比較結果に基づいて、被験者の評価データを求めることとを含む。
【００５３】
本実施形態に係る評価プログラムは、被験者の注視点Ｐを検出する処理と、被験者の注視点Ｐの移動速度を算出する処理と、算出された視線の移動速度に基づいて注視点Ｐの度数を算出し、視線の移動速度の度数分布を求める処理と、度数分布のうち、所定速度未満である第１速度範囲Ｒ１に含まれる度数から求められた第１度数と、所定速度以上である第２速度範囲Ｒ２に含まれる度数から求められた第２度数とを比較する処理と、比較結果に基づいて、被験者の評価データを求める処理とをコンピュータに実行させる。
【００５４】
ＡＤＨＤの被験者は、例えば多動性又は衝動性により、評価期間においては注視点の移動が多くなり、ＡＤＨＤではない被験者に比べて、注視点を停留または停止させることが少ない傾向にある。本実施形態では、このようなＡＤＨＤの被験者の特性に鑑みて、被験者の注視点の移動速度を検出し、移動速度の度数分布を求め、移動速度が遅い注視点の移動速度の度数の割合を算出し、算出結果に基づいて被験者を評価するものである。これにより、ＡＤＨＤの特性に直接的に適合した評価を行うことができるため、被験者を高精度に評価することができる。
【００５５】
本実施形態に係る評価装置１００において、演算部３５は、第１度数と第２度数との比を求め、評価部３６は、比に基づいて被験者の評価データを算出する。これにより、移動速度が遅い注視点の移動速度の度数の割合を容易かつ高精度に算出できる。
【００５６】
本実施形態に係る評価装置１００において、第１速度範囲Ｒ１は、移動速度が最も遅い視線の移動速度を含む範囲であり、第２速度範囲Ｒ２は、第１速度範囲Ｒ１と等しい速度範囲の幅である。これにより、移動速度が遅い注視点の移動速度の度数の割合を容易かつ高精度に算出できる。
【００５７】
本実施形態に係る評価装置１００において、任意の対象物を注視するように被験者に指示をした後、移動速度の評価を開始するようにしてもよい。これにより、ＡＤＨＤの被験者とＡＤＨＤではない被験者の移動速度の差が顕著に現れるため、被験者を高精度に評価することができる。
【００５８】
本実施形態に係る評価装置１００において、表示部１１と、被験者の視線と表示部１１との交点である注視点Ｐの位置を検出する注視点検出部３２と、表示部１１に評価用画像Ｅを表示する表示制御部３１とを更に備え、移動速度算出部３３は、注視点Ｐの移動速度を視線の移動速度として求め、度数分布算出部３４は、注視点Ｐの移動速度の度数を視線の移動速度の度数として求める。これにより、表示部１１に評価用画像Ｅを表示した状態で注視点Ｐの移動速度を求めることができる。
【００５９】
図１１は、他の例に係る評価装置１００Ａの構成を模式的に示す図である。図１１に示すように、評価装置１００Ａは、上記実施形態に記載の評価装置１００と比べた場合、表示部１１が設けられない構成である。この場合、コンピュータシステム３０においては、注視点検出部３２が、被験者の視線ベクトルを算出する視線検出部の機能を発揮する。または、注視点検出部３２に代えて、被験者の視線ベクトルを算出する視線検出部が設けられてもよい。以下、注視点検出部３２が視線ベクトルを算出する場合を例に挙げて説明する。
【００６０】
この構成において、注視点検出部３２は、所定のサンプリング周期で被験者の視線ベクトルを検出する。移動速度算出部３３は、所定の周期毎に検出される視線ベクトルの変位に基づいて、移動速度を算出する。例えば、図１１に示すように、算出対象となる視線ベクトルＥ２と、当該視線ベクトルＥ２の直前にサンプリングされた視線ベクトルＥ１との変位Ｖｅを求める。移動速度算出部３３は、変位Ｖｅの距離を算出し、算出結果をサンプリング周期で除算することにより、移動速度を求めることが可能となる。なお、他の処理については、上記実施形態と同様である。これにより、表示部１１が設けられない構成においても、被験者の評価を高精度に行うことができる。
【００６１】
本発明の技術範囲は上記実施形態に限定されるものではなく、本発明の趣旨を逸脱しない範囲で適宜変更を加えることができる。例えば、上記各実施形態では、評価装置１００を、ＡＤＨＤである可能性を評価する評価装置として用いる場合を例に挙げて説明したが、これに限定されない。例えば、評価装置１００は、認知機能障害および脳機能障害である可能性の評価や視覚認知機能の評価など、ＡＤＨＤである可能性の評価以外の評価装置として用いてもよい。
【符号の説明】
【００６２】
Ｅ…評価用画像、Ｅ１，Ｅ２…視線ベクトル、ＥＢ…眼球、Ｐ…注視点、Ｑ，Ｒ…軌跡、Ｒ１…第１速度範囲、Ｒ２…第２速度範囲、ＡＮＳ…評価値、Ｌｎ…距離、Ｖｅ…変位、Ｖｎ…移動速度、１０…表示装置、１１…表示部、２０…画像取得装置、２１…撮影装置、２１Ａ…第１カメラ、２１Ｂ…第２カメラ、２２…照明装置、２２Ａ…第１光源、２２Ｂ…第２光源、３０…コンピュータシステム、３０Ａ…演算処理装置、３０Ｂ…記憶装置、３０Ｃ…コンピュータプログラム、３１…表示制御部、３２…注視点検出部（視線検出部）、３３…移動速度算出部、３４…度数分布算出部、３５…演算部、３６…評価部、３７…入出力制御部、３８…記憶部、４０…出力装置、５０…入力装置、６０…入出力インターフェース装置、１００，１００Ａ…評価装置
【図１】
2020151360.tif 000003
【図２】
2020151360.tif 000004
【図３】
2020151360.tif 000005
【図４】
2020151360.tif 000006
【図５】
2020151360.tif 000007
【図６】
2020151360.tif 000008
【図７】
2020151360.tif 000009
【図８】
2020151360.tif 000010
【図９】
2020151360.tif 000011
【図１０】
2020151360.tif 000012
【図１１】
2020151360.tif 000013